(57)【要約】【課題】ハウジングの収納部内に収納されたＩＣカードの保護性能を向上させることができるコネクタを提供する。【解決手段】コネクタ１１は、ＩＣカード１００を収納可能な収納部２２を有する絶縁性のハウジング１３と、収納部２２内に収納されたＩＣカード１００を覆蓋可能な覆蓋位置と非覆蓋位置との間を変位自在なカバー１４と、覆蓋位置に配置されたカバー１４が非覆蓋位置に向けて回動変位することを規制すべくカバー１４の一部を係止する係止位置に向けて移動可能な係止部材１５と、係止位置に位置する係止部材１５が係止位置から離間した非係止位置に向けて移動することを抑制する板ばね６０とを備えている。【選択図】図１
2008270076.tif 000002
【特許請求の範囲】
【請求項１】
ＩＣカードを収納するための収納部を有する絶縁性のハウジングと、
前記収納部内に収納された前記ＩＣカードを覆蓋可能に形成され、前記ＩＣカードを覆蓋可能な覆蓋位置と該覆蓋位置から離間した非覆蓋位置との間を変位自在に設けられた覆蓋部材と、
前記覆蓋位置に配置された前記覆蓋部材が前記覆蓋位置から前記非覆蓋位置に向けて移動することを規制すべく前記覆蓋部材の一部に係止する係止位置と該係止位置から離間した非係止位置との間を移動自在に設けられた係止部材と、
前記ハウジングに対して着脱自在に設けられ、該ハウジングに装着された場合に、前記係止位置に位置する前記係止部材が前記係止位置から前記非係止位置に向けて移動することを抑制する移動抑制部材と
を備えたコネクタ。
【請求項２】
前記係止部材は、該係止部材が前記係止位置に位置する場合に、該係止部材の一部に設けられた被押圧部が前記非覆蓋位置から前記覆蓋位置に向けて移動する前記覆蓋部材に押圧されることにより、前記係止位置から前記非係止位置に向けて移動するように構成されており、
前記係止部材の被押圧部は、該被押圧部における前記係止位置に近い側の部位の方が前記係止位置から遠い側の部位よりも前記収納部の内底面側となるように形成された斜面である請求項１に記載のコネクタ。
【請求項３】
前記覆蓋部材は、前記収納部内に前記ＩＣカードが収納されている状態において前記覆蓋位置に配置された場合には、前記収納部から前記ＩＣカードが外れることを規制するように該ＩＣカードを前記収納部の内底面側に押圧する請求項１又は請求項２に記載のコネクタ。
【請求項４】
前記ハウジングには、前記覆蓋位置に配置された前記覆蓋部材が前記覆蓋位置から更に前記収納部の内底面側に移動することを規制する規制手段が設けられている請求項３に記載のコネクタ。
【請求項５】
前記覆蓋部材は、前記ハウジングにヒンジ機構を介して連結されている請求項１〜請求項４のうち何れか一項に記載のコネクタ。
【発明の詳細な説明】
【技術分野】
【０００１】
本発明は、ＩＣカードなどのカードを装着可能なコネクタに関する。
【背景技術】
【０００２】
従来、ＣＰＵやメモリなどを内包するＩＣカードをプリント基板などの外部回路に接続するためのコネクタとして、例えば特許文献１に記載のコネクタが提案されている。この特許文献１に記載のコネクタは、四角箱状をなすハウジングを備え、該ハウジングには、ＩＣカードを収納するための収納部が形成されている。また、ハウジングには、その収納部内に収納されたＩＣカードを係止するための係止部として、該ＩＣカードの一端を係止可能な固定式の第１係止部と、該ＩＣカードの他端を係止可能な可動式の第２係止部とが設けられている。
【０００３】
この第２係止部は、収納部内に収納されたＩＣカードの他端を係止可能な係止位置と係止不能な非係止位置との間を移動自在に設けられており、常には係止位置に向けて付勢手段により付勢されている。そして、ハウジングの収納部内にＩＣカードが収納される場合、第２係止部は、そのＩＣカードが一端を第１係止部に係止された傾斜姿勢から水平姿勢となるように収納部内に向けて移動する途中で、そのＩＣカードの他端により押圧されて係止位置から非係止位置に向けて押し退けられるようになっている。その後、ＩＣカードが収納部内に水平姿勢状態となって収納されると、そのＩＣカードの他端による第２係止部への押圧力が解消され、付勢手段から付与される付勢力によって第２係止部が非係止位置から係止位置に戻る結果、ＩＣカードの他端が第２係止部に係止されるようになっていた。
【０００４】
一方、コネクタから収納部内のＩＣカードを取り外す場合は、作業者が、該作業者自身の指で第２係止部を付勢手段による付勢力に抗して係止位置から非係止位置に向けて移動させ、その状態において、ピンセットなどの工具を利用して収納部内のＩＣカードをハウジングから取り外していた。
【特許文献１】特開２００６―５９６００号公報
【発明の開示】
【発明が解決しようとする課題】
【０００５】
ところで、特許文献１に記載のコネクタでは、その収納部内に収納されたＩＣカードが各係止部によって収納部内から外れないように係止されているものの、その収納状態においてＩＣカードはプリント基板と対向しない側の面が剥き出しの状態になっている。そのため、作業者によるＩＣカードの取付作業及び取外し作業時だけではなく、該各作業以外の作業（例えば、他の部品をプリント基板に組み付ける作業）が行なわれる場合に、作業者の指や工具などがＩＣカードの剥き出しになった面に接触するおそれがあった。このような接触があった場合には、作業者の指との接触により静電気がＩＣカードに帯電したり、工具との接触によりＩＣカードが破損したりするおそれがあり、収納部内に収納されたＩＣカードを保護する点で改善の余地があった。
【０００６】
本発明は、このような事情に鑑みてなされたものであり、その目的は、ハウジングの収納部内に収納されたＩＣカードの保護性能を向上させることができるコネクタを提供することにある。
【課題を解決するための手段】
【０００７】
上記目的を達成するために、コネクタにかかる請求項１に記載の発明は、ＩＣカードを収納するための収納部を有する絶縁性のハウジングと、前記収納部内に収納された前記ＩＣカードを覆蓋可能に形成され、前記ＩＣカードを覆蓋可能な覆蓋位置と該覆蓋位置から離間した非覆蓋位置との間を変位自在に設けられた覆蓋部材と、前記覆蓋位置に配置された前記覆蓋部材が前記覆蓋位置から前記非覆蓋位置に向けて移動することを規制すべく前記覆蓋部材の一部に係止する係止位置と該係止位置から離間した非係止位置との間を移動自在に設けられた係止部材と、前記ハウジングに対して着脱自在に設けられ、該ハウジングに装着された場合に、前記係止位置に位置する前記係止部材が前記係止位置から前記非係止位置に向けて移動することを抑制する移動抑制部材とを備えたことを要旨とする。
【０００８】
上記構成によれば、ＩＣカードは、ハウジングの収納部内に覆蓋部材によって覆蓋された状態で収納される。そして、収納部内に収納されたＩＣカードを収納部から取り外す場合は、作業者が係止位置に位置する係止部材を非係止位置に向けて押し退け、覆蓋部材を非覆蓋位置へ変位させればよい。その際において、係止部材を非係止位置に向けて押し退ける作業者の指は、覆蓋部材には接触する可能性があるものの、ＩＣカードには覆蓋部材が介在しているので直接接触することはない。そのため、作業者による作業時において、収納部内に収納されたＩＣカードに静電気が付着することが抑制される。また、収納部内に収納されたＩＣカードは、覆蓋部材によって覆蓋された状態になるため、工具などがＩＣカードに接触してしまうことが抑制される。したがって、ハウジングの収納部内に収納されたＩＣカードの保護性能を向上させることができる。
【０００９】
請求項２に記載の発明は、請求項１に記載のコネクタにおいて、前記係止部材は、該係止部材が前記係止位置に位置する場合に、該係止部材の一部に設けられた被押圧部が前記非覆蓋位置から前記覆蓋位置に向けて移動する前記覆蓋部材に押圧されることにより、前記係止位置から前記非係止位置に向けて移動するように構成されており、前記係止部材の被押圧部は、該被押圧部における前記係止位置に近い側の部位の方が前記係止位置から遠い側の部位よりも前記収納部の内底面側となるように形成された斜面であることを要旨とする。
【００１０】
上記構成によれば、係止部材は、その斜面状をなす被押圧部が覆蓋位置へと変位する途中の覆蓋部材により押圧されることにより、係止位置から離間した非係止位置に向けて移動することになる。そのため、覆蓋部材が覆蓋位置に配置される場合には、その覆蓋部材の非覆蓋位置から覆蓋位置への移動が係止位置に位置する係止部材によって妨げられることが抑制される。
【００１１】
請求項３に記載の発明は、請求項１又は請求項２に記載のコネクタにおいて、前記覆蓋部材は、前記収納部内に前記ＩＣカードが収納されている状態において前記覆蓋位置に配置された場合には、前記収納部から前記ＩＣカードが外れることを規制するように該ＩＣカードを前記収納部の内底面側に押圧することを要旨とする。
【００１２】
上記構成によれば、ＩＣカードは収納部内に収納された状態において覆蓋部材により覆蓋されつつ押圧される。したがって、ＩＣカードに対しては収納状態での保護性能向上に加えて位置ずれ抑制をも図ることができる。
【００１３】
請求項４に記載の発明は、請求項３に記載のコネクタにおいて、前記ハウジングには、前記覆蓋位置に配置された前記覆蓋部材が前記覆蓋位置から更に前記収納部の内底面側に移動することを規制する規制手段が設けられていることを要旨とする。
【００１４】
上記構成によれば、収納部内に収納されているＩＣカードが覆蓋部材によって必要以上に押圧されることが規制手段によって規制される。そのため、覆蓋部材による押圧の過多によってＩＣカードへの負荷の増大が抑制される。
【００１５】
請求項５に記載の発明は、請求項１〜請求項４のうち何れか一項に記載のコネクタにおいて、前記覆蓋部材は、前記ハウジングにヒンジ機構を介して連結されていることを要旨とする。
【００１６】
もし仮にヒンジ機構を介して覆蓋部材がハウジングに連結されていなかったとすると、覆蓋部材をハウジングに係止するための係止機構を複数箇所に設ける必要がある。しかしながら、本発明では、覆蓋部材がヒンジ機構を介してハウジングに連結されているため、覆蓋部材をハウジングに係止するための係止機構を複数箇所に設ける必要がない。したがって、係止機構を複数箇所に設ける場合とは異なり、コネクタの構成の複雑化が抑制される。
【発明の効果】
【００１７】
本発明によれば、ハウジングの収納部内に収納されたＩＣカードの保護性能を向上させることができる。
【発明を実施するための最良の形態】
【００１８】
以下、本発明を具体化した一実施形態を図１〜図９に従って説明する。なお、以下における本明細書中の説明において、「上下方向」、「左右方向」、「前後方向」は図１における上下方向、左右方向、前後方向（同図に矢印で示す）をそれぞれ示すものとする。
【００１９】
図１及び図２に示すように、本実施形態のコネクタ１１は、プリント基板１２上に実装されるものであって、絶縁性（例えば、合成樹脂）のハウジング１３と、絶縁性のカバー（覆蓋部材）１４と、該カバー１４を係止するための絶縁性の係止部材１５と、複数種類（本実施形態では２種類）の金属端子１６，１７とを備えた構成とされている。
【００２０】
ハウジング１３は、その上部に開口部２０を有する四角箱状をなしており、その下壁（底壁）２１がプリント基板１２と相対している。そして、ハウジング１３内には、略矩形板状をなすＩＣカード１００（例えば、小型メモリカード）に対応した形状をなす収納部２２が形成されており、該収納部２２内には、図３及び図４に示すように、ハウジング１３の上方から開口部２０を介してＩＣカード１００が挿入されるようになっている。なお、本実施形態のＩＣカード１００の厚みは、略「１．１ｍｍ」に設定されている。
【００２１】
ハウジング１３の右側壁２３の上端のうち収納部２２に臨む部位は、図１及び図２に示すように、その下側部位の方が上側部位よりも左側（即ち、収納部２２の中央側）に位置するように形成された案内面としての傾斜面２４とされている。同様に、ハウジング１３の左側壁２５の上端のうち収納部２２に臨む部位は、その下側部位の方が上側部位よりも右側（即ち、収納部２２の中央側）に位置するように形成された案内面としての傾斜面２６とされている。また、ハウジング１３の後側壁２７の上端のうち収納部２２に臨む部位は、図５に示すように、その下側部位の方が上側部位よりも前側（即ち、収納部２２の中央側）に位置するように形成された案内面としての傾斜面２８とされている。さらに、ハウジング１３の前側壁２９の上端面には、図１及び図２に示すように、複数（本実施形態では２つ）の案内部３０が左右方向に沿って突設されており、該各案内部３０のうち収納部２２に臨む部位は、それぞれの下側部位の方が上側部位よりも後側（即ち、収納部２２の中央側）に位置するように形成された案内面としての傾斜面３１とされている。
【００２２】
また、ハウジング１３の前側壁２９の左右両端面には、図２に示すように、略円柱形状の突起３２がそれぞれ突設されている。なお、これら両突起３２は、ハウジング１３の前側壁２９の上端面に設けられた各案内部３０よりも前側にそれぞれ配置されている。
【００２３】
ハウジング１３の後側壁２７の上端面における左右方向の中央部には、後側壁２７の長手方向（左右方向）のほぼ全体に亘る幅を有して前後方向に延びる案内凹部３３が形成されている。そして、この案内凹部３３内の左右両隅角部には、案内凹部３３内に連通する蟻溝状の支持用凹部３４が前後方向に延びるようにそれぞれ形成されている。さらに、ハウジング１３の後側壁２７の上端面における左右両端部において、前後方向における中心よりも後側には、後側壁２７の上端面及び案内凹部３３内に開口する切込み溝３５がそれぞれ形成されている。
【００２４】
ハウジング１３の下壁２１には、口形状が矩形状をなす複数（本実施形態では２つ）の貫通孔３６が前後方向に所定間隔をおいて貫通形成されている。すなわち、本実施形態のハウジング１３の下壁２１は、前後両側を貫通孔３６に挟まれた下壁中央部３７と、後側が貫通孔３６に臨むと共に前側がハウジング１３の前側壁２９に連続する下壁前側部３８と、前側が貫通孔３６に臨むと共に後側がハウジング１３の後側壁２７に連続する下壁後側部３９とから構成されている。
【００２５】
次に、カバー１４について以下説明する。
カバー１４は、図１及び図２に示すように、外郭形状がハウジング１３の開口部２０と対応した矩形状の覆蓋部４７を主体とし、その覆蓋部４７の基端部（図１では下端部）４６にはハウジング１３の前側壁２９の左右両端面に形成された両突起３２に嵌合する左右一対の嵌合部４５が形成されている。そして、カバー１４は、各嵌合部４５がハウジング１３側の対応する各突起３２に嵌合した状態で、両突起３２を通る軸線を中心に回動変位するようになっている。したがって、本実施形態では、ハウジング１３の両突起３２及び該両突起３２に対応する両嵌合部４５により、ハウジング１３とカバー１４とを連結するヒンジ機構が構成されている。
【００２６】
また、カバー１４の覆蓋部４７は、その先端部（図１では上端部）４８が該先端部４８以外の部位に比して肉薄状に形成されている。また、覆蓋部４７の先端部４８は、覆蓋部４７がプリント基板１２に対して略平行状態（即ち、水平状態）となった場合に後側壁２７の傾斜面２８に当接する部位が該傾斜面２８に対応した角度で傾斜した対応斜面４９とされている。そして、この対応斜面４９が後側壁２７の傾斜面２８に当接した場合には、覆蓋部４７の先端部４８が更に下方側（収納部２２の内底面側）となるようなカバー１４の回動が規制される。したがって、本実施形態では、後側壁２７の傾斜面２８により、規制手段が構成されている。なお、以降の記載において、カバー１４の覆蓋部４７の先端部４８が後側壁２７の傾斜面２８に当接する位置のことを、「覆蓋位置」というものとする。
【００２７】
また、覆蓋部４７には、複数（本実施形態では８つ）の透孔５０が貫通形成されている。そして、カバー１４が覆蓋位置に配置された場合であっても、収納部２２内は、各透孔５０を介して外部から視認できるようになっている。なお、本実施形態の覆蓋部４７は、「８つ」以外の任意数（例えば「１つ」）の透孔５０のみが設けられた構成であってもよい。
【００２８】
次に、係止部材１５について以下説明する。
図２及び図５に示すように、係止部材１５は、ハウジング１３の後側壁２７の案内凹部３３内に位置する断面略Ｌ字状の被案内部５５と、該被案内部５５の上端に突設された断面略台形状の係止部５６とを備えている。また、被案内部５５の下端側の左右両端部には、ハウジング１３の後側壁２７の各支持用凹部３４内に個別に挿入される一対の被支持部５７がそれぞれ突設されている。そして、係止部材１５は、案内凹部３３の内面に沿って前後方向に摺動（移動）自在とされている。なお、係止部材１５は、その被案内部５５が後側壁２７の後端面２８Ａ（図５参照）に当接した場合、前方への更なる摺動が規制されるようになっている。
【００２９】
また、係止部材１５の係止部５６の前側部位（被押圧部）５６Ａは、その下端部位が上端部位よりも前側に位置する斜面とされている。そして、この前側部位５６Ａには、覆蓋位置に向けて回動するカバー１４の対応斜面４９が当接するようになっている。したがって、本実施形態では、カバー１４の対応斜面４９により、係止部材１５の係止部５６の前側部位５６Ａを後方へ向けて押圧するための押圧部が構成されている。
【００３０】
また、ハウジング１３の後側壁２７上において係止部材１５よりも後側には、付勢部材としての板ばね６０が配設されている。この板ばね６０の左右両端は、ハウジング１３の後側壁２７の左右の両切込み溝３５内にそれぞれ圧入されている。そして、係止部材１５は、板ばね６０によって常には前方に付勢されており、該板ばね６０の付勢力に抗した後方への押圧力が付与されない限り、その被案内部５５が後側壁２７の後端面２８Ａ（図５参照）に当接した係止位置に配置されている。したがって、本実施形態では、板ばね６０により、係止位置に位置する係止部材１５が収納部２２から離間した後方側の非係止位置に向けて摺動（移動）することを抑制する移動抑制部材が構成されている。
【００３１】
次に、各金属端子１６，１７について順番に以下説明する。
図２に示すように、各金属端子１６，１７のうち、下壁中央部３７に支持される第１金属端子１６は、短冊状の金属片を曲げ加工することにより形成されている。すなわち、第１金属端子１６の長手方向における一端部は、プリント基板１２上の図示しないパターンに半田付け処理される第１接触部６５とされている。また、第１金属端子１６の長手方向における略中央部分は、略Ｕ字状をなすように曲げ形成されている。さらに、第１金属端子１６の長手方向における略中央部分よりも他端側には、下壁中央部３７の上面（即ち、下壁２１の上面２１Ａであって、収納部２２の内底面）よりも上方に位置する第２接触部６６が曲げ形成されており、該第２接触部６６が、収納部２２内に収納されたＩＣカード１００に圧接するようになっている。そして、下壁中央部３７の前後両端部には、上述した複数の第１金属端子１６が左右方向に沿って等間隔に配設されることにより構成される金属端子群がそれぞれ形成されている。
【００３２】
一方、下壁前側部３８及び下壁後側部３９に支持される第２金属端子１７は、短冊状の金属片を曲げ加工することにより形成されている。すなわち、第２金属端子１７の長手方向における一端部は、プリント基板１２上の図示しないパターンに半田付け処理される第１接触部６７とされている。また、第２金属端子１７には、その第１接触部６７よりも他端側を曲げ加工することにより、下壁前側部３８及び下壁後側部３９の上面（即ち、下壁２１の上面２１Ａであって、収納部２２の内底面）よりも上方に位置する第２接触部６８が曲げ形成されており、該第２接触部６８が、収納部２２内に収納されたＩＣカード１００に圧接するようになっている。そして、下壁前側部３８及び下壁後側部３９には、複数の第２金属端子１７が左右方向に沿って等間隔に配設されることにより構成される金属端子群がそれぞれ形成されている。
【００３３】
また、本実施形態のＩＣカード１００の下面には、該ＩＣカード１００が収納部２２内に収納された場合に、ハウジング１３に設けられた各金属端子１６，１７の第２接触部６６，６８に個別に対応する図示しないパターンが形成されている。また、ＩＣカード１００の上面には、該ＩＣカード１００の四隅のうち右前側となる隅に正方形状をなすマーク１０１が設けられている。このマーク１０１は、ＩＣカード１００が収納部２２内に収納された場合であっても、カバー１４の覆蓋部４７に形成された透孔５０によって視認されるようになっている。なお、本実施形態では、収納部２２内に収納されたＩＣカード１００の下面とハウジング１３の下壁２１の上面２１Ａとの間に僅かな隙間１０２が形成されており、ＩＣカード１００の厚み寸法の誤差（公差）が許容されるようになっている。
【００３４】
次に、本実施形態のコネクタ１１にＩＣカード１００を取り付ける際の作用、及びコネクタ１１からＩＣカード１００を取り外す際の作用を中心に図６〜図９に基づき以下説明する。
【００３５】
さて、ハウジング１３の収納部２２内にＩＣカード１００を収納する場合、図５に示すように、まず、カバー１４は、その先端部４８を上方に指向させるように回動変位させられる。この図５に示すカバー１４の位置状態のことを非覆蓋位置という。そして次に、ＩＣカード１００が、マーク１０１の付された面が上面となるようにして、ハウジング１３の上方から開口部２０を介して収納部２２内に挿入される（図３及び図５参照）。すると、ＩＣカード１００は収納部２２内に収納され、該ＩＣカード１００の下面に形成された各パターン（図示略）とハウジング１３内において下壁２１の上面２１Ａよりも上方に位置する各金属端子１６，１７の第２接触部６６，６８とが個別に接触する。
【００３６】
そして次に、図６に示すように、先端部４８が上方を指向する非覆蓋位置にあるカバー１４が、覆蓋位置に向けて回動変位させられる。すると、カバー１４の対応斜面４９が係止部材１５の係止部５６の前側部位５６Ａに圧接する。この状態でカバー１４が更に回動すると、カバー１４の対応斜面４９が係止部５６の前側部位５６Ａに後方への押圧力を付与することになる。
【００３７】
この際、係止部５６の前側部位５６Ａは斜面であるため、覆蓋位置に向けてカバー１４が回動し続けると、係止部材１５は、図７に示すように、板ばね６０が付与する前方への付勢力に抗して案内凹部３３の内面に沿って後方の非係止位置に向けて押し退けられる。そして、図８に示すように、覆蓋位置までカバー１４が回動すると、そのカバー１４の対応斜面４９による係止部材１５の係止部５６への後方への押圧力が解消される。
【００３８】
そのため、係止部材１５は、板ばね６０による前方への付勢力によって案内凹部３３の内面に沿って摺動して係止位置に戻る。すると、係止部材１５の係止部５６が、覆蓋部４７の先端部４８と係合した状態になる。その結果、カバー１４の覆蓋部４７が、収納部２２内に収納されたＩＣカード１００の上面に当接し、該ＩＣカード１００を下方に向けて押圧するため、該ＩＣカード１００の下面に形成された各パターンには、該各パターンに個別に対応する金属端子１６，１７の第２接触部６６，６８がそれぞれ圧接する。なお、この状態では、各金属端子１６，１７は、それぞれ下方に撓んだ状態となっている。
【００３９】
一方、収納部２２内に収納されたＩＣカード１００を取り外す場合には、図９に示すように、作業者は、該作業者自身の指１１０で係止部材１５を案内凹部３３の内面に沿って後方に摺動させる。すなわち、係止部材１５が後方の非係止位置に押し退けられることにより、係止部材１５の係止部５６と覆蓋部４７の先端部４８との係合状態が解消される。すると、カバー１４には、撓んだ状態にある各金属端子１６の弾性復帰力がＩＣカード１００を介して付与されることにより、カバー１４は、その先端部４８が上方を指向するように回動する。そして、先端部４８が上方を指向する非覆蓋位置までカバー１４が作業者によって回動された後、収納部２２内のＩＣカード１００は、図示しない工具（ピンセットなど）によって収納部２２から取外される。
【００４０】
したがって、本実施形態では、以下に示す効果を得ることができる。
（１）ＩＣカード１００は、ハウジング１３の収納部２２内にカバー（覆蓋部材）１４の覆蓋部４７によって覆蓋される。そして、収納部２２内に収納されたＩＣカード１００を収納部２２から取り外す場合、係止位置に位置する係止部材１５を後方の非係止位置に向けて押し退ける作業者の指１１０は、カバー１４の覆蓋部４７に接触する可能性はあるものの、ＩＣカード１００に直接接触することはない。そのため、作業者による作業時において、収納部２２内に収納されたＩＣカード１００に静電気が帯電することが抑制される。また、収納部２２内に収納されたＩＣカード１００は、カバー１４の覆蓋部４７によって覆蓋された状態になるため、工具などがＩＣカード１００に接触してしまうことが抑制される。したがって、ハウジング１３の収納部２２内に収納されたＩＣカード１００の保護性能を向上させることができる。
【００４１】
（２）また、本実施形態では、収納部２２内に収納されたＩＣカード１００は、その全体がカバー１４の覆蓋部４７に覆蓋されつつ下方に押さえつけられる。したがって、ＩＣカード１００全体にカバー１４からの下方への押圧力を均一に付与することができ、ＩＣカード１００が収納部２２から外れてしまうことを抑制できる。
【００４２】
（３）係止部材１５は、その係止部５６の前側部位（被押圧部）５６Ａが斜面状をなしており、カバー１４が非覆蓋位置から覆蓋位置へと回動変位する途中でカバー１４の対応斜面（押圧部）４９に押圧されることにより、係止位置から後方に離間した非係止位置に向けて摺動するようになっている。そのため、カバー１４が覆蓋位置に向けて回動する場合において、そのカバー１４の回動変位が係止位置に位置する係止部材１５によって妨げられることを抑制できる。
【００４３】
（４）収納部２２内に収納されているＩＣカード１００がカバー（覆蓋部材）１４の覆蓋部４７によって必要以上に大きな押圧力でもって押圧されることがハウジング１３の後側壁２７の傾斜面（規制手段）２８によって規制される。そのため、カバー１４の覆蓋部４７による押圧の過多によってＩＣカード１００に対する負荷が増大することを抑制できる。
【００４４】
（５）もし仮にヒンジ機構を介してカバー（覆蓋部材）１４がハウジング１３に連結されていなかったとすると、カバー１４をハウジング１３に係止するための係止機構を複数箇所に設ける必要がある。しかしながら、本実施形態では、カバー１４がヒンジ機構を介してハウジング１３に連結されているため、カバー１４をハウジング１３に係止するための係止機構（本実施形態の係止部材１５及び板ばね６０）を一カ所にだけ設ければよい。したがって、係止機構を複数箇所に設ける場合とは異なり、コネクタ１１の構成の複雑化を抑制できる。
【００４５】
（７）また、カバー１４がハウジング１３に連結されているため、ＩＣカード１００の未装着時にカバー１４を紛失してしまうことも抑制できる。
（８）ハウジング１３の各側壁２３，２５，２７，２９には、ＩＣカード１００を収納部２２内に案内するための傾斜面（案内面）２４，２６，２８，３１がそれぞれ設けられている。そのため、ＩＣカード１００をハウジング１３の収納部２２内に確実に案内して収納することができる。
【００４６】
（９）係止部材１５は、板ばね（付勢部材）６０からの前方への付勢力によって係止位置から後方の非係止位置に摺動することが抑制されている。そのため、本実施形態のコネクタ１１が設置されたプリント基板１２に振動や衝撃が加わったとしても、係止部材１５は係止位置から位置ずれしないので、ＩＣカード１００がハウジング１３の収納部２２から外れてしまうことを抑制できる。
【００４７】
（１０）収納部２２内に収納されたＩＣカード１００の下面とハウジング１３の下壁２１の上面２１Ａとの間には隙間１０２が介在している。そのため、ＩＣカード１００の厚みが「１．１ｍｍ」よりも多少厚くても、その厚みが隙間１０２の間隔で許容できる場合においては、そのＩＣカード１００を収納部２２内に収納することができる。
【００４８】
（１１）また、本実施形態では、ＩＣカード１００をハウジング１３の収納部２２内に収納する場合には、カバー１４の対応斜面４９にて係止部材１５を後方へ押圧し、該カバー１４を覆蓋位置に配置することでＩＣカード１００が収納部２２から外れることを規制できる。一方、ＩＣカード１００を収納部２２から取り外す場合には、係止位置に位置する係止部材１５を後方に押し退けることにより、係止部材１５とカバー１４との係合が解消され、ＩＣカード１００を収納部２２から取り外すことができる。したがって、係止部材１５を前後方向に摺動させることにより、ＩＣカード１００の取り付けと取り外しを容易に行なうことができる。
【００４９】
（１２）カバー１４の覆蓋部４７は、先端部４８の肉厚が先端部４８以外の部分の肉厚よりも薄く形成されている。そのため、先端部４８を肉薄にした分だけ係止部材１５の係止部５６を低い位置に配置することができる。したがって、コネクタ１１全体の高さ方向における小型化に貢献できる。
【００５０】
（１３）カバー１４の覆蓋部４７には、収納部２２内を外部から視認できるような透孔５０が形成されているため、収納部２２内に収納されたＩＣカード１００のマーク１０１の位置を外部から容易に視認できる。そのため、正しい配置態様（即ち、マーク１０１が右前の隅に位置するような配置態様）でＩＣカード１００が収納部２２内に収納されているか否かを、カバー１４を覆蓋位置に配置した状態のままで確認できる。
【００５１】
なお、上記実施形態は以下のような別の実施形態に変更してもよい。
・上記実施形態において、係止部材１５の後方に板ばね６０を設けなくてもよい。この場合、ＩＣカード１００をハウジング１３の収納部２２内に収納してカバーの先端部４８を係止部材１５で係止するときには、係止部材１５が後方に移動することを抑制する移動抑制部材として例えば押え板などを設けることが望ましい。
【００５２】
・上記実施形態において、ハウジング１３は、ＩＣカード１００を収納部２２内に案内するための案内面が各側壁２３，２５，２７，２９のうち少なくとも一つの側壁に設けられた構成であってもよい。例えば、ハウジング１３は、右側壁２３と左側壁２５とにのみ傾斜面（案内面）２４，２６を設けられた構成であってもよい。
【００５３】
・上記実施形態において、カバー１４は、ハウジング１３に連結されていなくてもよい。この場合、カバー１４をハウジング１３に係止するための係止機構を、ハウジング１３の前側壁２９にも設けることが望ましい。このように構成すると、カバー１４は２カ所でハウジング１３に係止された状態になるため、カバー１４は、収納部２２内に収納されたＩＣカード１００を覆蓋しつつ押圧することができる。
【００５４】
・上記実施形態において、ハウジング１３の後側壁２７は、覆蓋位置に配置されたカバー１４の対応斜面４９が当接しない位置に案内面としての傾斜面２８が配置された構成であってもよい。すなわち、ハウジング１３には、規制手段を設けなくてもよい。
【００５５】
・上記実施形態において、係止部材１５の係止部５６の前側部位５６Ａは、斜面でなくてもよい。この場合、カバー１４を覆蓋位置に配置するときには、作業者の指１１０で係止部材１５を後方に摺動させ、カバー１４が覆蓋位置に配置された後に作業者による係止部材１５の押圧力の付与を解消させるようにすることが望ましい。
【図面の簡単な説明】
【００５６】
【図１】本実施形態のコネクタの斜視図。
【図２】本実施形態のコネクタの分解斜視図。
【図３】収納部内にＩＣカードが収納された状態を示す斜視図。
【図４】カバーが覆蓋位置に配置された状態を示す斜視図。
【図５】ＩＣカードが収納部内に収納される前の状態を示す断面図。
【図６】カバーが係止部材に当接した状態を示す断面図。
【図７】係止部材が後方側に向けて摺動している状態を示す断面図。
【図８】カバーが覆蓋位置に配置された状態を示す断面図。
【図９】作業者が付与する押圧力によって係止部材が後方に摺動している状態を示す断面図。
【符号の説明】
【００５７】
１１…コネクタ、１３…ハウジング、１４…カバー（覆蓋部材）、１５…係止部材、２１Ａ…下壁の上面（内底面）、２２…収納部、２４，２６，３１…傾斜面（案内面）、２８…傾斜面（規制手段、案内面）、３２…突起（ヒンジ機構）、４５…嵌合部（ヒンジ機構）、４９…対応斜面（押圧部）、５６Ａ…前側部位（被押圧部）、６０…板ばね（移動抑制部材、付勢部材）、１００…ＩＣカード。
【図１】
2008270076.tif 000003
【図２】
2008270076.tif 000004
【図３】
2008270076.tif 000005
【図４】
2008270076.tif 000006
【図５】
2008270076.tif 000007
【図６】
2008270076.tif 000008
【図７】
2008270076.tif 000009
【図８】
2008270076.tif 000010
【図９】
2008270076.tif 000011